(57)【特許請求の範囲】
【請求項１】
建造物の壁に設けた開口部に嵌め込んでその前面を開放して設置される収納ボックスの取付装置であって、
前記建造物の壁の背部に所定の間隔にて配置された左右一対の垂直な構造材の間に位置する床面上に設置して固定され、前記収納ボックスの底面に係合して同収納ボックスを前後方向と垂直方向に位置調節可能に支持して位置決めする下部支持手段と、
前記収納ボックスの上部に上方に突出して形成した取付部の背後に配置されて、少なくとも１本の連結ロッドに横方向に移動可能に支持された左右一対の保持金具と、前記取付部に形成した横方向のスリットを通して前記左右一対の保持金具に各々ねじ込んで締め付けられて、前記収納ボックスの内面側から同保持金具を横方向及び前後方向に移動させる左右一対の締付ねじとにより構成されて同取付部を前記構造材に垂直に固定する上部支持手段とを備え、
前記収納ボックスが前記壁の開口部に嵌め込まれてその開口部周縁にて同壁の表面に密着した状態にてその底面が前記下部支持手段により支承されて水平に位置決めされて、前記収納ボックスの底部がその内面側から操作される固定具によって前記下部支持手段に固定され、前記収納ボックスの上部の取付部が前記収納ボックスの内面側から前記締付ねじを操作することにより前記保持金具を前記構造体に係合させて垂直に固定されるようにした収納ボックスの取付装置。
【請求項２】
前記下部支持手段を、前記壁の背部に位置する床面に固定されてその高さが調節される支持手段と、この支持手段に前後方向へ位置調節可能に支承されて前記収納ボックスの底面と下端部背面に係合する支持ブラケットとにより構成したこと特徴とする請求項１に記載した収納ボックスの取付装置。
【請求項３】
前記下部支持手段として、前記壁の背部に位置する床面上に固定されてその高さが調節される支持手段を設けて、該支持手段によって前記収納ボックスの底部が水平に支持された状態にて前記収納ボックスの内面側から操作される前記固定具により同収納ボックスの底部を前記支持手段の構成部材に固定するようにしたことを特徴とする請求項１に記載した収納ボックスの取付装置。
【請求項４】
前記下部支持手段として、前記壁の背部に位置する床面上に固定されてその高さが調節される支持手段を設け、一方前記収納ボックスの底面に横方向に離間して固着した左右一対のブラケットに前記収納ボックスの内面側から操作される一対の締付ボルトを横方向に螺合して、前記支持手段によって前記収納ボックスの底部が水平に支持された状態にて前記一対の締付ボルトをそれぞれ外方に締付けてその先端を前記壁の垂直な構造材の側面に押圧させることにより前記収納ボックスの横方向の動きを規制するようにしたことを特徴とする請求項１に記載した収納ボックスの取付装置。
【請求項５】
建造物の壁に設けた開口部に嵌め込んでその前面を開放して設置される収納ボックスの取付装置であって、
前記建造物の壁の背部に所定の間隔にて配置された左右一対の垂直な構造材の間に位置する床面上に設置して固定され、前記収納ボックスの底面に係合して同収納ボックスを前後方向と垂直方向に位置調節可能に支持する下部支持手段と、
前記収納ボックスの上面に横方向に離間して固着した左右一対のブラケットと、これらブラケットに横方向に螺合した一対の締付ボルトとから構成される上部支持手段とを備えて、
前記収納ボックスが前記壁の開口部に嵌め込まれてその開口部周縁にて同壁の表面に密着した状態にてその底面が前記下部支持手段により支承されて水平に位置決めされて、前記収納ボックスの底部がその内面側から操作される固定具によって前記下部支持手段に固定され、同収納ボックスの上部がその内面側から操作される前記一対の締付ボルトをそれぞれ外方に締付けてその先端を前記壁の垂直な構造材の側面に押圧させることにより前記収納ボックスの横方向の動きを規制するようにした収納ボックスの取付装置。
【請求項６】
建造物の壁に設けた開口部に嵌め込んでその前面を開放して設置される収納ボックスの取付装置であって、
前記収納ボックスの上面及び底面に横方向に離間して固着した各左右一対のブラケットとこれらブラケットに横方向に螺合した各左右一対の締付ボルトを備えた支持手段を設け、
前記収納ボックスが前記壁の開口部に嵌め込まれてその開口部周縁にて同壁の前面に密着された状態にて内面側から操作される前記締付ボルトをそれぞれ外方に締付けてその先端を前記壁の垂直な構造材の側面に押圧させることによって固定されるようにした収納ボックスの取付装置。
【発明の詳細な説明】
【発明の技術分野】
【０００１】
本発明は、建造物の壁に設けた開口部に設置される消火器等の収納ボックスの取付装置に関するものである。
【従来の技術】
【０００２】
従来、特開２００２−３３６３６９号公報に開示された消火器用収納ボックスの取付装置においては、建造物の壁の背部に離間して配置された垂直な構造材にその側面を溶接した四角な枠体に収納ボックスを嵌め込んでビスにより固定するようになっている。
【０００３】
この消火器用収納ボックスの取付装置においては、上記の枠体を壁の構造材に正確に溶接することが困難であるため、枠体の溶接位置が前後にずれた場合には同枠体に嵌め込まれた収納ボックスの前端が壁の前面から突出したり、或いは壁の前面から陥没したりして美観を損ねることになる。また、上記枠体の溶接作業は壁の表面を傷つけないようにするため壁の表面仕上げの前に実施され、上記収納ボックスは壁の表面仕上げが終了したのちに上記枠体に嵌め込まれることになり、収納ボックスの取付作業に手間がかかる難点がある。さらに、上記枠体の溶接には溶接機を作業現場に持ち込む必要があり、収納ボックスの設置費用が高くなる。
【発明の概要】
【０００４】
本発明の主たる目的は、上記の問題を解消するため、消火器等の収納ボックスを表面仕上げを施された既設の壁に溶接作業を要することなく嵌め込んで簡単な作業で的確に固定できる取付装置を提供することにある。
【０００５】
上記の目的を達成するため、本発明は、建造物の壁に設けた開口部に嵌め込んでその前面を開放して設置される収納ボックスの取付装置であって、建造物の壁の背部に所定の間隔にて配置された左右一対の垂直な構造材の間に位置する床面上に設置して固定され、収納ボックスの底面に係合して同収納ボックスを前後方向と垂直方向に位置調節可能に支持して位置決めする下部支持手段と、収納ボックスの上部に上方に突出して形成した取付部の背後に配置されて、少なくとも１本の連結ロッドに横方向に移動可能に支持された左右一対の保持金具と、取付部に形成した横方向のスリットを通して左右一対の保持金具に各々ねじ込んで締め付けられて、収納ボックスの内面側から同保持金具を横方向及び前後方向に移動させる左右一対の締付ねじとにより構成されて同取付部を構造材に垂直に固定する上部支持手段とを備え、収納ボックスが壁の開口部に嵌め込まれてその開口部周縁にて同壁の表面に密着した状態にてその底面が下部支持手段により支承されて水平に位置決めされて、収納ボックスの底部がその内面側から操作される固定具によって下部支持手段に固定され、収納ボックスの上部の取付部が収納ボックスの内面側から締付ねじを操作することにより保持金具を構造体に係合させて垂直に固定されるようにした収納ボックスの取付装置を提供するものである。
【０００６】
本発明の実施にあたっては、上記の下部支持手段を、壁の背部に位置する床面に固定されてその高さが調節される支持手段と、この支持手段に前後方向へ位置調節可能に支承されて収納ボックスの底面と下端部背面に係合する支持ブラケットとにより構成することが望ましい。
【０００７】
さらに、上記の実施にあたっては、下部支持手段として、壁の背部に位置する床面上に固定されてその高さが調節される支持手段を設けて、該支持手段によって収納ボックスの底部が水平に支持された状態にて収納ボックスの内面側から操作される固定具により同収納ボックスの底部を支持手段の構成部材に固定するようにしてもよい。
【０００８】
或いは、上記の下部支持手段として、壁の背部に位置する床面上に固定されてその高さが調節される支持手段を設け、一方収納ボックスの底面に横方向に離間して固着した左右一対のブラケットに収納ボックスの内面側から操作される一対の締付ボルトを横方向に螺合して、支持手段によって収納ボックスの底部が水平に支持された状態にて締付ボルトをそれぞれ外方に締付けてその先端を壁の垂直な構造材の側面に押圧させることにより収納ボックスの横方向の動きを規制するようにしてもよい。
また、本発明は他の実施例においては、建造物の壁に設けた開口部に嵌め込んでその前面を開放して設置される収納ボックスの取付装置であって、建造物の壁の背部に所定の間隔にて配置された左右一対の垂直な構造材の間に位置する床面上に設置して固定され、収納ボックスの底面に係合して同収納ボックスを前後方向と垂直方向に位置調節可能に支持する下部支持手段と、収納ボックスの上面に横方向に離間して固着した左右一対のブラケットと、これらブラケットに横方向に螺合した一対の締付ボルトとから構成される上部支持手段とを備えて、収納ボックスが壁の開口部に嵌め込まれてその開口部周縁にて同壁の表面に密着した状態にてその底面が下部支持手段により支承されて水平に位置決めされて、収納ボックスの底部がその内面側から操作される固定具によって下部支持手段に固定され、同収納ボックスの上部がその内面側から操作される一対の締付ボルトをそれぞれ外方に締付けてその先端を壁の垂直な構造材の側面に押圧させることにより収納ボックスの横方向の動きを規制するようにした収納ボックスの取付装置を提供するものである。
【０００９】
また、本発明は他の実施例においては、建造物の壁に設けた開口部に嵌め込んでその前面を開放して設置される消火器等の収納ボックスの取付装置であって、収納ボックスの上面及び底面に横方向に離間して固着した各左右一対のブラケットとこれらブラケットに横方向に螺合した各左右一対の締付ボルトを備えた支持手段を設け、収納ボックスが壁の開口部に嵌め込まれてその開口部周縁にて同壁の前面に密着された状態にて内面側から操作される前記締付ボルトをそれぞれ外方に締付けてその先端を前記壁の垂直な構造材の側面に押圧させることによって固定されるようにした収納ボックスの取付装置を提供するものである。
【発明を実施するための最良の形態】
【００１０】
添付図面の図１〜５においては、消火器用収納ボックスの取付装置に本発明を適用して一実施形態が示されている。この実施形態における消火器用収納ボックス１０は、その前面を開放した直方体形状に形成されていて、建造物に既設の壁Ｗに設けた長方形の開口部Ｏに嵌め込んで設置され、その前端周縁部に形成した長方形のリム１１を壁Ｗの表面に密着させた状態で、その背後にて離間して位置する壁Ｗの垂直な構造材である軽量鉄骨Ｆの間に位置する床面上に設置して下部支持装置２０と軽量鉄骨Ｆの上部に組付けた上部支持装置３０によって位置決め固定されている。【００１１】
図１〜３に示したように、下部支持装置２０は、建造物の床面に固定される金属製の基板２１ａに垂直に溶着したスタッドボルト２１と、このスタッドボルト２１に螺合したスリーブ状ナット２２ａの上端に溶着されて上下に位置調節される長方形の支持板２２ｂと、この支持板２２ｂの上面に前後方向へ位置調節可能に接合した支持ブラッケット２３とにより構成されている。支持ブラッケット２３は、断面Ｌ字状に形成されていて、その平板部２３ａには前後方向に一対の長孔２３ｃが形成され同平板部２３ａの両端には一対のリブ２３ｆが設けられている。この支持ブラケット２３は、一対の長孔２３ｃを通して支持板２２ｂに締め付け固定したねじ２３ｄによって位置決めされている。なお、支持ブラケット２３の垂直部２３ｂには収納ボックス１０の背板の下部に設けた横方向の長孔１３を通して締め付け固定されるねじ２３ｅのねじ孔が設けられている。【００１２】
上記のように構成した下部支持装置２０においては、収納ボックス１０が壁Ｗの開口部Ｏに嵌め込まれるのに先立って、収納ボックス１０の底部後端に対応する位置にてスタッドボルト２１の基板２１ａが建造物の床板に左右一対のねじ２１ｃによって固定され、支持ブラケット２３のリブ２３ｆが収納ボックス１０の底面を水平に支持し得る位置になるようにスリーブ状ナット２２ａによって支持ブラケット２３の高さが調節される。このように支持ブラケット２３の高さ位置が調節された状態にて、支持ブラケット２３の垂直部２３ｂが収納ボックス１０の下端部背面と係合する位置になるように調節されて、ねじ２３ｄを締め付けることにより支持ブラケット２３が位置決め固定される。【００１３】
図４と５に示したように、上部支持装置３０は、壁Ｗの背部にて開口部Ｏの両側に離間して位置する垂直な軽量鉄骨Ｆに係合される一対の保持金具３１と、これら保持金具３１のＵ形屈曲部３１ａを貫通して平行に組付けられてその両端部分にて各保持金具３１を支承する２本の連結ロッド３３と、これら２本の連結ロッド３３の間に位置する各保持金具３１のＵ形屈曲部３１ａにねじ込んで締め付けられる２本の締付ねじ３２とにより構成されている。締付ねじ３２は、図１と２に示したように収納ボックス１０の上部に上方に突出して形成した取付部１２の横方向のスリット１４を通して挿入され、各保持金具３１のＵ形屈曲部３１ａにねじ込まれている。【００１４】
上記のように構成した上部支持装置３０においては、収納ボックス１０を壁Ｗの開口部Ｏに嵌め込む前に上方取付部１２のスリット１４を通して挿入した締付ねじ３２に各保持金具３１のＵ形屈曲部３１ａをねじ込んで取付けた状態にて、左右の締付ねじ３２をスリット１４に沿って互いに内方に移動させて左右の保持金具３１が収納ボックス１０の背面内側に位置するように組付けられる。【００１５】
以下に、上述した下部支持装置２０と上部支持装置３０を用いて収納ボックス１０を壁Ｗの開口部Ｏに組み込む工程について説明する。本発明の実施にあたって、収納ボックス１０を組み込むための開口部Ｏは、既設の壁Ｗの構造材として同壁Ｗの背部にて離間して配置された左右の軽量鉄骨Ｆの間に設けられる。しかして、上述したように下部支持装置２０が壁Ｗの背部にて開口部Ｏの略中央に位置する床面に設置された状態にて収納ボックス１０が開口部Ｏに嵌め込まれてその前端周縁部のリム１１が壁Ｗの前面に密着するまで押し込まれるとその底部が下部支持装置２０の支持ブラケット２３のリブ２３ｆに支持されると共にその下端部背面が同支持ブラケット２３の垂直部２３ｂに係合する。これにより、開口部Ｏに嵌め込まれた収納ボックス１０の底部が支持ブラケット２３により水平に支持される。この状態にて、収納ボックス１０の背板の下部に設けた横方向の長孔１３を通して挿入した締付ねじ２３ｅを支持ブラケット２３の垂直部２３ｂにねじ込むことにより収納ボックス１０の底部が位置決め固定される。一方、収納ボックス１０の上部においては、左右の締付ねじ３２をそれぞれスリット１４の外側に向けて移動させれば各保持金具３１が２本の連結ロッド３３に沿って移動してその係止部３１ｂが軽量鉄骨Ｆの背面に係合する。この状態にて収納ボックス１０の内面に位置する左右の締付ねじ３２の頭部にスクリュードライバを係合させて締付ければ、保持金具３１が軽量鉄骨Ｆにクランプされて収納ボックス１０の上部が垂直に固定される。【００１６】
上記の組付け工程においては、既設の壁Ｗに設けた開口部Ｏに収納ボックス１０を嵌め込んで同収納ボックス１０の下部内面に位置する締付ねじ２３ｅの頭部をスクリュードライバによって締付け、同様に同収納ボックス１０の上方取付部の内面に位置する締付ねじ３２の頭部をスクリュードライバによって締付けることにより、収納ボックス１０をその前端周縁部が壁Ｗの前面に密着した状態にて簡単に固定される。【００１７】
上記の実施形態においては、下部支持装置２０のスタッドボルト２１に螺合したスリーブ状ナット２２ａの上端に支持ブラケット２３を組付けて、収納ボックス１０の底部と下端部背面を支持ブラケット２３のリブ２３ｆと垂直部２３ｂにより支持するようにしたが、図６と７に示したように、支持ブラケット２３に代えて円板２３Ａをスリーブ状ナット２２ａの上端に固定して、この円板２３Ａの上に収納ボックス１０の底部を載置して締付ねじ２３Ｂにより固定するようにしてもよい。この場合には、壁Ｗの開口部Ｏに収納ボックス１０を嵌め込んでその前端周縁部を壁Ｗの前面に密着させた状態にて円板２３Ａの中心に対応する位置が分かるように収納ボックス１０の底部内面に適宜な印しを付けるか、或いはねじ孔を設けておく。これにより、収納ボックス１０を壁Ｗの開口部Ｏに嵌め込んだとき同収納ボックス１０の底部をその下面に位置する円板２３Ａの中心に締付ねじ２３Ｂにより固定することができる。【００１８】
図８〜１０は、本発明の他の実施形態を示している。この実施形態においては、図１〜３に示した実施形態における下部支持装置２０の支持ブラケット２３に代えて収納ボックス１０の底面に固着した左右一対の断面Ｕ字状のブラケット４１とそれぞれ横方向に螺合した締付ボルト４２が採用されている。この場合、スタッドボルト２１に螺合したスリーブ状ナット２２ａの上端に固定した円板２２Ａの上面にて収納ボックス１０の底面が水平に支承され、各ブラケット４１に横方向に螺合した締付ボルト４２を収納ボックス１０の底部に設けた窓孔１５から挿入した工具によってねじ込むことにより各締付ボルト４２の先端を開口部Ｏの両側に位置する軽量鉄骨Ｆの側面に押圧させて収納ボックス１０の横方向の動きが規制される。【００１９】
また、この実施形態においては、図４と５に示した上部支持装置３０の保持金具３１と連結ロッド３３に代えて収納ボックス１０の上面に固着した左右一対の断面Ｕ字状のブラケット５１と、これらブラケット５１にそれぞれ横方向に螺合した締付ボルト５２が採用されている。この場合、収納ボックス１０が壁Ｗの開口部Ｏに嵌め込まれてその前端周縁部にて壁Ｗの前面に密着した状態にてその底部にてスリーブ状ナット２２ａの上端に固定した円板２２Ａにより支持されたとき、各締付ボルト５２を収納ボックス１０上面に設けた窓孔１６から挿入された工具によってねじ込むことによりその先端を開口部Ｏの両側に位置する軽量鉄骨Ｆの側面に押圧させて収納ボックス１０の横方向の動きが規制される。【００２０】
上記の実施形態においては、下部支持装置２０のスタッドボルト２１に螺合したスリーブ状ナット２２ａの上端に固定した円板２２Ａにより収納ボックス１０の底部を支持しているが、これらによる収納ボックス１０の底部の支持をなくして締付ボルト４２を軽量鉄骨Ｆの側面に押圧させて収納ボックス１０を支持してもよい。【００２１】
なお、この実施形態においては、下部支持装置２０の支持ブラケット２３に代えて収納ボックス１０の底面に固着した左右一対の断面Ｕ字状のブラケット４１とこれらブラケット４１にそれぞれ横方向に螺合した締付ボルト４２が採用されてり、また、上部支持装置３０の保持金具３１と連結ロッド３３に代えて収納ボックス１０の上面に固着した左右一対の断面Ｕ字状のブラケット５１とこれらブラケット５１にそれぞれ横方向に螺合した締付ボルト５２が採用されているが、下部支持装置２０または上部支持装置３０の一方のみを代えて採用してもよい。
【図面の簡単な説明】
【００２２】
【図１】収納ボックスの取付装置を示す正面図である。
【図２】図１のＡ−Ａ断面図である。
【図３】図１のＢ−Ｂ断面図である。
【図４】図１の上部を示す背面図である。
【図５】図１の平面図である。
【図６】収納ボックスの取付装置の変形例を示す正面図である。
【図７】図６のＣ−Ｃ断面図である。
【図８】収納ボックスの取付装置の他の実施形態を示す正面図である。
【図９】図８のＤ−Ｄ断面図である。
【図１０】図８の平面図である。
【図１】
0004693182.tif 000002
【図２】
0004693182.tif 000003
【図３】
0004693182.tif 000004
【図４】
0004693182.tif 000005
【図５】
0004693182.tif 000006
【図６】
0004693182.tif 000007
【図７】
0004693182.tif 000008
【図８】
0004693182.tif 000009
【図９】
0004693182.tif 000010
【図１０】
0004693182.tif 000011